(57)【特許請求の範囲】
【請求項１】
呼出ボタン（１１）を備え、前記呼出ボタンを押下することにより電波を送出する発信機（１）と、前記電波を受信したときに呼出報知する受信機（２）とから構成され、
前記発信機は、前記呼出ボタンが押下されたことを検出して呼出信号を生成するための呼出検出回路（１２）と、前記呼出ボタンを１回目の呼出ボタン操作したとき点滅、または点灯表示動作をし、その後、一定時間内に前記呼出ボタンを２回目の呼出ボタン操作したとき前記表示動作と異なる表示動作をするための呼出確認灯（１３）と、前記２回目の呼出ボタン操作時に動作し音声信号が入力されるマイク（１４）と、前記呼出信号、前記音声信号を重畳した高周波信号を送信するための高周波送信回路（１７）とを備え、
前記受信機は、前記高周波信号を受信するための高周波受信回路（２１）と、受信された高周波信号に重畳している前記呼出信号に基づいて呼出音を生成するための呼出音生成回路（２２）と、前記呼出音および前記音声信号を鳴動するためのスピーカ（２５）とを備えたことを特徴とする無線呼出装置。
【請求項２】
呼出ボタン（１１）を備え、前記呼出ボタンを押下することにより電波を送出する発信機（１）と、前記電波を受信したときに呼出報知する受信機（２）とから構成され、
前記発信機は、前記呼出ボタンが押下されたことを検出して呼出信号を生成するための呼出検出回路（１２）と、前記呼出ボタンを１回目の呼出ボタン操作したとき点滅、または点灯表示動作をし、その後、一定時間経過後に前記表示動作と異なる表示動作をするための呼出確認灯（１３）と、前記異なる表示動作中に動作し音声信号が入力されるマイク（１４）と、前記呼出信号、前記音声信号を重畳した高周波信号を送信するための高周波送信回路（１７）とを備え、
前記受信機は、前記高周波信号を受信するための高周波受信回路（２１）と、受信された高周波信号に重畳している前記呼出信号に基づいて呼出音を生成するための呼出音生成回路（２２）と、前記呼出音および前記音声信号を鳴動するためのスピーカ（２５）とを備えたことを特徴とする無線呼出装置。
【請求項３】
前記マイクは、一定時間動作して音声送話状態とするものであることを特徴とする請求項１または請求項２記載の無線呼出装置。
【請求項４】
前記マイクは、音声送話状態中に前記呼出ボタン操作をするまでの間動作するものであることを特徴とする請求項１乃至請求項３何れか１項記載の無線呼出装置。
【請求項５】
前記発信機は、オン状態にすると音声送話機能を停止させて呼出機能を動作させ、オフ状態にすると音声送話機能および呼出機能を動作させるための音声送話切替器（１６）を備えたことを特徴とする請求項１乃至請求項４何れか１項記載の無線呼出装置。
【発明の詳細な説明】
【０００１】
【発明の属する技術分野】
本発明は無線呼出装置に係り、特に、発信機の使用者からの呼び出しの具体的な内容を、音声の鳴動をもとに受信機の使用者に対して報知することができる無線呼出装置に関する。
【０００２】
【従来の技術】
従来から、呼出元の人物が離れた場所に居る相手先の人物を呼び出す際、呼出操作が行われた発信機から呼出相手先側の受信機に電波を送信し、この電波を受信した受信機にて呼出報知する無線呼出装置として、図２のブロック図に示す構成の無線呼出装置が提案されている。
【０００３】
同図に示す無線呼出装置において、呼出元の人物が携帯、または呼出元側の周囲近傍に設置される発信機５１には、制御回路（以下、発信機ＣＰＵと称す）６０、呼出ボタン６１、呼出検出回路６２、呼出確認灯６３、高周波送信回路６４が備えられている。また、呼出相手先側の周囲近傍に設置される受信機５２には、制御回路（以下、受信機ＣＰＵと称す）７０、高周波受信回路７１、呼出音生成回路７２、アンプ７３、スピーカ７４が備えられている。
【０００４】
このように構成された無線呼出装置において、発信機５１の使用者である呼出元の人物が、呼出相手先の人物である受信機５２の使用者を呼び出すために呼出ボタン６１を押下すると、この操作を検出した呼出検出回路６２からの呼出信号が発信機ＣＰＵ６０に入力され、発信機ＣＰＵ６０は、呼出確認灯６３を点灯、または点滅させるとともに、入力された呼出信号を高周波送信回路６４に送出する。また、高周波送信回路６４は、呼出検出回路６２にて生成され発信機ＣＰＵ６０を介した呼出信号を重畳した電波、ここでは、外部雑音等の電磁波との混信がない高周波信号を受信機５２に送信する。
【０００５】
受信機５２の高周波受信回路７１は、発信機５１からの高周波信号を受信し、受信された高周波信号に重畳している呼出信号を受信機ＣＰＵ７０に送出する。
また、高周波受信回路７１からの呼出信号に基づいて発信機５１の使用者による呼出操作を検出した受信機ＣＰＵ７０は、呼出音生成回路７２、アンプ７３をそれぞれ能動とすることにより、スピーカ７４では、呼出音生成回路７２にて生成されアンプ７３を介して増幅された呼出音信号をなす呼出音が鳴動され、受信機５２の使用者に対して呼出報知する。
【０００６】
【発明が解決しようとする課題】
しかしながら、従来の無線呼出装置では、呼出操作が行われた発信機５１から送信される高周波信号（電波）に重畳している呼出信号に基づいて呼出報知を行う受信機５２では、スピーカ７４にて呼出音が鳴動されるのみで、呼び出しの具体的な内容を報知することができない難点があった。
【０００７】
本発明は、上述の難点を解消するためになされたもので、発信機に呼出機能とともに音声送話機能を備え、呼出操作が行われた発信機から受信機に送信される高周波信号に呼出信号および音声信号を重畳させることにより、音声信号（音声）の鳴動をもとに発信機からの呼び出しの具体的な内容を受信機にて報知することができる無線呼出装置を提供することを目的とする。
【０００８】
【課題を解決するための手段】
この目的を達成するため、本発明による無線呼出装置は、呼出ボタンを備え、呼出ボタンを押下することにより電波を送出する発信機と、電波を受信したときに呼出報知する受信機とから構成され、発信機は、呼出ボタンが押下されたことを検出して呼出信号を生成するための呼出検出回路と、呼出ボタンを１回目の呼出ボタン操作したとき点滅、または点灯表示動作をし、その後、一定時間内に呼出ボタンを２回目の呼出ボタン操作したとき表示動作と異なる表示動作をするための呼出確認灯と、２回目の呼出ボタン操作時に動作し音声信号が入力されるマイクと、呼出信号、音声信号を重畳した高周波信号を送信するための高周波送信回路とを備え、受信機は、高周波信号を受信するための高周波受信回路と、受信された高周波信号に重畳している呼出信号に基づいて呼出音を生成するための呼出音生成回路と、呼出音および音声信号を鳴動するためのスピーカとを備えたことを特徴としている。
【０００９】
また、本発明による無線呼出装置は、呼出ボタンを備え、呼出ボタンを押下することにより電波を送出する発信機と、電波を受信したときに呼出報知する受信機とから構成され、発信機は、呼出ボタンが押下されたことを検出して呼出信号を生成するための呼出検出回路と、呼出ボタンを１回目の呼出ボタン操作したとき点滅、または点灯表示動作をし、その後、一定時間経過後に表示動作と異なる表示動作をするための呼出確認灯と、異なる表示動作中に動作し音声信号が入力されるマイクと、呼出信号、音声信号を重畳した高周波信号を送信するための高周波送信回路とを備え、受信機は、高周波信号を受信するための高周波受信回路と、受信された高周波信号に重畳している呼出信号に基づいて呼出音を生成するための呼出音生成回路と、呼出音および音声信号を鳴動するためのスピーカとを備えたことを特徴としている。
【００１０】
また、本発明による無線呼出装置をなす発信機のマイクは、一定時間動作して音声送話状態とするものであることを特徴としている。
【００１１】
また、本発明による無線呼出装置をなす発信機のマイクは、音声送話状態中に呼出ボタン操作をするまでの間動作するものであることを特徴としている。
【００１２】
また、本発明による無線呼出装置をなす発信機は、オン状態にすると音声送話機能を停止させて呼出機能を動作させ、オフ状態にすると音声送話機能および呼出機能を動作させるための音声送話切替器を備えたことを特徴としている。
【００１３】
このような無線呼出装置によれば、呼出ボタンを押下するような呼出機能とともに発信機に備えられるマイクへの音声入力のような音声送話機能を、当該発信機の使用者である呼出元の人物の音声送話切替器の操作に基づいて能動／非能動とすることができる。これにより、発信機の音声送話機能が能動とされている場合には、呼出ボタンが押下された発信機から受信機に送信される高周波信号に、音声送話開始情報を付加した呼出信号およびマイクに入力され適宜に信号処理された音声信号を重畳させ、この高周波信号を受信した受信機では、発信機からの呼び出しの具体的な内容を示す音声をスピーカにて鳴動させることにより呼出報知することできる。一方、発信機の音声送話機能が非能動とされている場合には、呼出ボタンが押下された発信機から受信機に送信される高周波信号に、音声送話開始情報が未付加の呼出信号のみを重畳させ、この高周波信号を受信した受信機では、呼出音をスピーカにて鳴動させることにより呼出報知することできる。
【００１４】
【発明の実施の形態】
以下、本発明による無線呼出装置を適用した好ましい形態の実施例について、図面を参照して説明する。
【００１５】
図１は、本発明の第１の実施例による無線呼出装置の構成を示すブロック図であり、呼出元の人物が携帯する、または呼出元側の周囲近傍に設置され、当該呼出元の人物が離れた場所に居る相手先（呼出相手先）の人物を呼び出す際に呼出操作を行うための発信機１と、呼出相手先側の周囲近傍に設置され、発信機１からの呼び出しに対して呼出報知を行うための受信機２とで構成されている。
【００１６】
同図に示す発信機１には、当該発信機の構成各部を制御するとともに計時機能を有する制御回路（以下、発信機ＣＰＵと称す）１０と、当該発信機の使用者である呼出元の人物が、受信機２の使用者である呼出相手先の人物を呼び出すために押下（以下、この操作を呼出ボタン操作と称す）する呼出ボタン１１と、呼出ボタン１１の呼出ボタン操作を検出して呼出信号を生成するための呼出検出回路１２と、発信機ＣＰＵ１０の制御により点滅、点灯等の表示動作を行うための呼出確認灯１３と、呼出元の人物が呼び出しの具体的な内容を音声で入力するために使用し、入力された音声を適宜に信号処理（詳述せず）するマイク１４と、発信機ＣＰＵ１０の制御により能動／非能動とされ、マイク１４に入力され適宜に信号処理された音声信号を増幅するためのマイクアンプ１５と、オン状態にすると、この操作を検出した発信機ＣＰＵ１０の制御により音声送話機能を停止、即ち、マイクアンプ１５を非能動とするとともに、呼出機能を動作、即ち、呼出ボタン１１の呼出ボタン操作による呼出検出回路１２での呼出検出を動作させ、一方、オフ状態にすると、この操作を検出した発信機ＣＰＵ１０の制御により音声送話機能および呼出機能を動作、即ち、マイクアンプ１５を能動としマイク１４への入力動作を可能とするとともに、呼出ボタン１１の呼出ボタン操作による呼出検出回路１２での呼出検出を動作させるための音声送話切替器１６と、呼出検出回路１２にて生成され発信機ＣＰＵ１０を介して音声送話開始情報が付加された呼出信号とマイクアンプ１５を介して増幅された音声信号とを重畳した電波、または上述の音声送話開始情報が未付加の呼出信号のみを重畳した電波、ここでは、外部雑音等の電磁波との混信がない高周波信号を受信機２に送信するための高周波送信回路１７とが備えられている。
【００１７】
また、同図に示す受信機２には、当該受信機の構成各部を制御するための制御回路（以下、受信機ＣＰＵと称す）２０と、発信機１からの高周波信号を受信するための高周波受信回路２１と、高周波受信回路２１にて受信された高周波信号に重畳している呼出信号に基づいて呼出音（以下、呼出音信号と称す）を生成するための呼出音生成回路２２と、高周波受信回路２１にて受信された高周波信号に重畳している音声信号と呼出音生成回路２２にて生成された呼出音信号とをそれぞれ後述するスピーカアンプへ送出するための伝送回路２３と、受信機ＣＰＵ２０の制御により能動／非能動とされ、伝送回路２３を介した呼出音信号、または音声信号を増幅するためのスピーカアンプ２４と、スピーカアンプ２４を介して増幅された呼出音信号、または音声信号を適宜に信号処理（詳述せず）し、発信機１の使用者からの呼び出しを報知する呼出音、または呼び出しの具体的な内容を示す音声を鳴動するためのスピーカ２５とが備えられている。
【００１８】
このように構成された本発明の第１の実施例による無線呼出装置において、以下、その動作について説明する。
【００１９】
図１のブロック図に示す無線呼出装置において、発信機１の使用者が受信機２の使用者を呼び出す際、スピーカ２５からの呼出音の鳴動とともに呼び出しの具体的な内容を示す音声の鳴動をもとに受信機２にて呼出報知させるためには、発信機１の音声送話切替器１６をオフ状態となるように操作し、この操作を検出した発信機ＣＰＵ１０を、上述の音声送話機能および呼出機能を動作させる状態（以下、音声送話・呼出設定状態と称す）に予め設定しておく。
【００２０】
このような音声送話・呼出設定状態時において、発信機１の使用者である呼出元の人物が、呼出相手先の人物である受信機２の使用者を呼び出すために呼出ボタン１１を押下（以下、１回目の呼出ボタン操作と称す）すると、この１回目の呼出ボタン操作を検出した呼出検出回路１２からの呼出信号Ｓ1が発信機ＣＰＵ１０に入力され、発信機ＣＰＵ１０は、呼出確認灯１３を点灯、または点滅させるとともに、呼出信号Ｓ1が入力されてからの一定時間（以下、呼出検出駆動時間と称す）の計時を開始する。また、高周波送信回路１７は、呼出検出回路１２にて生成され発信機ＣＰＵ１０を介した呼出信号Ｓ1を重畳した電波、ここでは外部雑音等の電磁波との混信がない高周波信号Ｓ10aを受信機２に送信する。
【００２１】
受信機２の高周波受信回路２１は、発信機１からの高周波信号Ｓ10aを受信し、受信された高周波信号Ｓ10aに重畳している呼出信号Ｓ1を受信機ＣＰＵ７０に送出する。また、高周波受信回路２１からの呼出信号Ｓ1に基づいて発信機１の使用者による呼出操作を検出した受信機ＣＰＵ２０は、呼出音生成回路２２、スピーカアンプ２３をそれぞれ能動とすることにより、呼出音生成回路２２にて生成された呼出音信号Ｓ20が、伝送回路２３を介してスピーカアンプ２４に送出される。さらに、スピーカ２５では、スピーカアンプ２４にて増幅された呼出音信号Ｓ20、例えば「プープー」のような呼出音が鳴動されることにより、受信機２の使用者である呼出相手先の人物は、発信機１の使用者である呼出先の人物からの呼び出しがあることを確認することができる。
【００２２】
また、発信機１の呼出確認灯１３の点灯、または点滅を確認した呼出元の人物が、発信機ＣＰＵ１０にて計時中の呼出検出駆動時間内に呼出ボタン１１を再び押下（以下、２回目の呼出ボタン操作と称す）すると、この２回目の呼出ボタン操作を検出した呼出検出回路１２からの呼出信号Ｓ2が発信機ＣＰＵ１０に入力され、発信機ＣＰＵ１０は、上述の１回目の呼出ボタン操作時とは異なるパターンで呼出確認灯１３を点灯、または点滅させ、マイクアンプ１５を一定時間（以下、音声送話駆動時間と称す）能動としマイク１４から高周波送信回路１７への音声信号伝送ラインを形成するとともに、音声送話駆動時間の計時を開始し、かつ入力された呼出信号Ｓ2に音声送話開始情報を付加した呼出信号Ｓ2'を高周波送信回路１７に送出する。
【００２３】
ここで、呼出元の人物である発信機１の使用者は、発信機ＣＰＵ１０の制御によりマイクアンプ１５が能動とされる音声送話駆動時間内に、呼び出しの具体的な内容を示す音声、例えば、「トイレに来て下さい」のような音声をマイク１４に入力することが可能となり、入力された音声は適宜に信号処理（詳述せず）され、マイクアンプ１５を介して増幅された音声信号Ｓ3として高周波送信回路１７に伝送される。また、高周波送信回路１７は、呼出検出回路１２にて生成され発信機ＣＰＵ１０を介して信号処理された呼出信号Ｓ2'とマイクアンプ１５を介して増幅された音声信号Ｓ3とを重畳した電波、ここでは、外部雑音等の電磁波との混信がない高周波信号Ｓ10bを受信機２に送信する。
【００２４】
受信機２の高周波受信回路２１は、発信機１からの高周波信号Ｓ10bを受信し、受信された高周波信号Ｓ10bに重畳している呼出信号Ｓ2'、音声信号Ｓ3を分離し、呼出信号Ｓ2'を受信機ＣＰＵ２０に送出するとともに、音声信号Ｓ３を伝送回路２３を介してスピーカアンプ２４に送出する。また、高周波受信回路２１からの呼出信号Ｓ2'に付加されている音声送話開始情報に基づいて発信機１の使用者によるマイク１４への音声入力動作を検出した受信機ＣＰＵ２０は、呼出音生成回路２２を非能動とすることにより、伝送回路２３を介してスピーカアンプ２４へ呼出音信号Ｓ20は出力されない。さらに、スピーカ２５では、スピーカアンプ２４を介して増幅された音声信号Ｓ3、例えば、「トイレに来てください」のような呼び出しの具体的な内容を示す音声が鳴動されることにより、受信機２の使用者である呼出相手先の人物は、発信機１の使用者である呼出元の人物からの呼び出しの具体的な内容を確認することができる。
【００２５】
また、上述の呼出・音声送話設定状態時における発信機１の発信機ＣＰＵ１０にて計時中の音声送話駆動時間が経過（タイムアップ）する、または音声送話駆動時間中に呼出ボタン１１が再び押下（以下、３回目の呼出ボタン操作と称す）されると、タイムアップ、または３回目の呼出ボタン操作を検出した呼出検出回路１２からの呼出信号Ｓ4を検出した発信機ＣＰＵ１０は、呼出確認灯１３を消灯させるとともに、マイクアンプ１５を非能動としマイク１４から高周波送信回路１７への音声信号伝送ラインを遮断することにより、マイク１４への音声入力動作を終了させることができる。
【００２６】
一方、図１のブロック図に示す無線呼出装置において、発信機１の使用者が受信機２の使用者を呼び出す際、スピーカ２５からの呼出音の鳴動のみで受信機２にて呼出報知させるためには、発信機１の音声送話切替器１６をオン状態となるように操作し、この操作を検出した発信機ＣＰＵ１０を、呼出機能のみを動作させる状態（以下、呼出設定状態と称す）に予め設定しておく。
【００２７】
このような呼出設定状態時において、発信機１の使用者である呼出元の人物が、呼出相手先の人物である受信機２の使用者を呼び出すために呼出ボタン１１を押下すると、この呼出ボタン操作を検出した呼出検出回路１２からの呼出信号Ｓ1が発信機ＣＰＵ１０に入力され、発信機ＣＰＵ１０は、呼出確認灯１３を点灯、または点滅させるとともに、呼出信号が入力されてからの一定時間、即ち、呼出検出駆動時間の計時を開始し、かつ入力された呼出信号Ｓ1を高周波送信回路１７に送出する。また、高周波送信回路１７は、呼出検出回路１２にて生成され発信機ＣＰＵ１０を介した呼出信号を重畳した電波、ここでは、外部雑音等の電磁波との混信がない高周波信号Ｓ10aを受信機２に送信する。
【００２８】
受信機２の高周波受信回路２１は、発信機１からの高周波信号Ｓ10aを受信し、受信された高周波信号Ｓ10aに重畳している呼出信号Ｓ1を受信機ＣＰＵ２０に送出する。また、高周波受信回路２１からの呼出信号Ｓ1に基づいて発信機１の使用者による呼出操作を検出した受信機ＣＰＵ２０は、呼出音生成回路２２、スピーカアンプ２３をそれぞれ能動とすることにより、呼出音生成回路２２にて生成された呼出音信号Ｓ20が、伝送回路２３を介してスピーカアンプ２４に送出される。さらに、スピーカ２５では、スピーカアンプ２４にて増幅された呼出音信号Ｓ20、例えば「プープー」のような呼出音が鳴動されることにより、受信機２の使用者である呼出相手先の人物は、発信機１の使用者である呼出先の人物からの呼び出しがあることを確認することができる。
【００２９】
また、上述の呼出設定状態時における発信機１の発信機ＣＰＵ１０にて計時中の呼出検出駆動時間が経過（タイムアップ）すると、このタイプアップを検出した発信機ＣＰＵ１０の制御により呼出確認灯１３が消灯される。
【００３０】
次に、本発明の第１の実施例に示すように、発信機１の音声送話切替器１６のオフ状態／オン状態を検出した発信機ＣＰＵ１０により制御される音声送話機能、即ち、発信機ＣＰＵ１０の制御によりマイクアンプ１５を能動／非能動としマイク１４への入力動作を可能／不可能とできる無線呼出装置を、以下、本発明の第２の実施例による無線呼出装置として、図面を参照して説明する。
【００３１】
なお、本発明の第２の実施例による無線呼出装置は、第１の実施例をなす発信機１、受信機２と同様な構成であることから、構成の説明は省略し動作についてのみ説明する。
【００３２】
図１のブロック図に示す無線呼出装置において、発信機１の使用者が受信機２の使用者を呼び出す際、スピーカ２５からの呼出音の鳴動とともに呼び出しの具体的な内容を示す音声の鳴動をもとに受信機２にて呼出報知させるためには、発信機１の音声送話切替器１６をオフ状態となるように操作し、この操作を検出した発信機ＣＰＵ１０を、上述の第１の実施例と同様、音声送話機能および呼出機能を動作させる状態、即ち、音声送話・呼出設定状態に予め設定しておく。
【００３３】
このような音声送話・呼出設定状態時において、発信機１の使用者である呼出元の人物が、呼出相手先の人物である受信機２の使用者を呼び出すために呼出ボタン１１を押下（以下、１回目の呼出ボタン操作と称す）すると、この１回目の呼出ボタン操作を検出した呼出検出回路１２からの呼出信号Ｓ51が発信機ＣＰＵ１０に入力され、発信機ＣＰＵ１０は、呼出確認灯１３を点灯、または点滅させるとともに、呼出信号が入力されてからの一定時間、即ち、上述の第１の実施例と同様、呼出検出駆動時間の計時を開始する。また、高周波送信回路１７は、呼出検出回路１２にて生成され発信機ＣＰＵ１０を介した呼出信号Ｓ51を重畳した電波、ここでは外部雑音等の電磁波との混信がない高周波信号Ｓ60aを受信機２に送信する。
【００３４】
受信機２の高周波受信回路２１は、発信機１からの高周波信号Ｓ60aを受信し、受信された高周波信号Ｓ60aに重畳している呼出信号Ｓ51を受信機ＣＰＵ７０に送出する。また、高周波受信回路２１からの呼出信号Ｓ51に基づいて発信機１の使用者による呼出操作を検出した受信機ＣＰＵ２０は、呼出音生成回路２２、スピーカアンプ２３をそれぞれ能動とすることにより、呼出音生成回路２２にて生成された呼出音信号Ｓ70が、伝送回路２３を介してスピーカアンプ２４に送出される。さらに、スピーカ２５では、スピーカアンプ２４にて増幅された呼出音信号Ｓ70、例えば「プープー」のような呼出音が鳴動されることにより、受信機２の使用者である呼出相手先の人物は、発信機１の使用者である呼出先の人物からの呼び出しがあることを確認することができる。
【００３５】
また、発信機１の発信機ＣＰＵ１０にて計時中の呼出検出駆動時間が経過（タイムアップ）すると、当該発信機ＣＰＵは、上述の１回目の呼出ボタン操作時とは異なるパターンで呼出確認灯１３を点灯、または点滅させるとともに、マイクアンプ１５を一定時間、即ち、上述の第１の実施例と同様、音声送話駆動時間能動としマイク１４から高周波送信回路１７への音声信号伝送ラインを形成し、また、マイクアンプ１５を能動とする音声送話駆動時間の計時を開始し、かつ上述の入力された呼出信号Ｓ51に音声送話開始情報を付加した呼出信号Ｓ51'を高周波送信回路１７に送出する。
【００３６】
ここで、上述の１回目の呼出ボタン操作時とは異なるパターンで点灯、または点滅されている発信機１の呼出確認灯１３を確認した呼出元の人物である当該発信機の使用者は、発信機ＣＰＵ１０の制御によりマイクアンプ１５が能動とされる音声送話駆動時間内に、呼び出しの具体的な内容を示す音声、例えば、「トイレに来て下さい」のような音声をマイク１４に入力することが可能となり、入力された音声は適宜に信号処理（詳述せず）され、マイクアンプ１５を介して増幅された音声信号Ｓ52として高周波送信回路１７に伝送される。また、高周波送信回路１７は、呼出検出回路１２にて生成され発信機ＣＰＵ１０を介して信号処理された呼出信号Ｓ51'とマイクアンプ１５を介して増幅された音声信号Ｓ52とを重畳した電波、ここでは、外部雑音等の電磁波との混信がない高周波信号Ｓ60bを受信機２に送信する。
【００３７】
受信機２の高周波受信回路２１は、発信機１からの高周波信号Ｓ60bを受信し、受信された高周波信号Ｓ60bに重畳している呼出信号Ｓ51'、音声信号Ｓ52を分離し、呼出信号Ｓ51'を受信機ＣＰＵ２０に送出するとともに、音声信号Ｓ52を伝送回路２３を介してスピーカアンプ２４に送出する。また、高周波受信回路２１からの呼出信号Ｓ51'に付加されている音声送話開始情報に基づいて発信機１の使用者によるマイク１４への音声入力動作を検出した受信機ＣＰＵ２０は、呼出音生成回路２２を非能動とすることにより、伝送回路２３を介してスピーカアンプ２４へ呼出音信号Ｓ70は出力されない。さらに、スピーカ２５では、スピーカアンプ２４を介して増幅された音声信号Ｓ52、例えば、「トイレに来てください」のような呼び出しの具体的な内容を示す音声が鳴動されることにより、受信機２の使用者である呼出相手先の人物は、発信機１の使用者である呼出元の人物からの呼び出しの具体的な内容を確認することができる。
【００３８】
また、上述の音声送話・呼出設定状態時における発信機１の発信機ＣＰＵ１０にて計時中の音声送話駆動時間が経過（タイプアップ）すると、このタイプアップを検出した発信機ＣＰＵ１０は、呼出確認灯１３を消灯させるとともに、マイクアンプ１５を非能動としマイク１４から高周波送信回路１７への音声信号伝送ラインを遮断することにより、マイク１４への音声入力動作を終了させることができる。
【００３９】
なお、本発明の第２の実施例による無線呼出装置において、発信機１の使用者が受信機２の使用者を呼び出す際、スピーカ２５からの呼出音の鳴動のみで受信機２にて呼出報知させるための動作は、第１の実施例による該当動作と同様であることから、その説明は省略する。
【００４０】
【発明の効果】
以上の説明から明らかなように、本発明の無線呼出装置によれば、発信機に呼出機能とともに備えられる音声送話機能を、当該発信機の使用者である呼出元の人物の操作に基づいて能動／非能動とすることができる。これにより、発信機の音声送話機能が能動とされている場合には、呼出機能が能動とされた発信機から受信機に送信される高周波信号に、音声送話開始情報を付加した呼出信号および音声信号を重畳させ、この高周波信号を受信した受信機では、発信機からの呼び出しの具体的な内容を示す音声の鳴動をもとに呼出報知することでき、一方、発信機の音声送話機能が非能動とされている場合には、呼出機能が能動とされた発信機から受信機に送信される高周波信号に、音声送話開始情報が未付加の呼出信号のみを重畳させ、この高周波信号を受信した受信機では、呼出音の鳴動をもとに呼出報知することできる。
【図面の簡単な説明】
【図１】本発明の第１、第２の各実施例による無線呼出装置の構成を示すブロック図である。
【図２】従来の無線呼出装置の構成を示すブロック図である。
【符号の説明】
１・・・・・発信機
２・・・・・受信機
１１・・・・・呼出ボタン
１２・・・・・呼出検出回路
１３・・・・・呼出確認灯
１４・・・・・マイク
１６・・・・・音声送話切替器
１７・・・・・高周波送信回路
２１・・・・・高周波受信回路
２２・・・・・呼出音生成回路
２５・・・・・スピーカ
【図１】
0004558962.tif 000002
【図２】
0004558962.tif 000003